(57)【要約】【課題】複数の情報管理装置により異なるＩＤ体系で分散管理されている同一ユーザに係る複数の情報を、簡単かつ短時間にもれなく取得可能にする。【解決手段】利用者端末ＵＴからのデータマージ実行依頼に応じて、先ず当該実行依頼に含まれる患者ＩＤに関連付けられている病院ＩＤと病院内患者ＩＤからなる複数のペアを患者ＩＤ管理サーバＭＳＶから取得し、この取得した複数のペアに基づいて、それぞれ該当する病院内サーバＨＳＶ１〜ＨＳＶｎからそれぞれ患者の診療情報インデックス情報と診療情報ストレージ情報からなるペアを取得する。そして、この取得された診療情報インデックス情報と診療情報ストレージ情報からなるペアを患者ＩＤごとに統合して、インデックス情報記憶部２１およびストレージ情報記憶部２２に格納する。【選択図】図２
2016157189.tif 000002
【特許請求の範囲】
【請求項１】
同一ユーザに係る情報を異なる識別体系で分散して管理している複数の情報管理装置と、当該複数の情報管理装置が異なる識別体系により管理する前記同一ユーザの個別識別情報と情報管理装置の識別情報との組を当該同一ユーザに対し予め設定した共通識別情報と関連付けて記憶する識別情報管理装置との間で、通信ネットワークを介して通信が可能な分散情報統合制御装置であって、
前記同一ユーザの共通識別情報を用いて、前記識別情報管理装置から当該同一ユーザに係る複数の個別識別情報と情報管理装置の識別情報との組を取得する手段と、
前記取得された複数の個別識別情報と情報管理装置の識別情報との組に基づいて、前記複数の情報管理装置からそれぞれ該当する同一ユーザに係る情報を取得する手段と、
前記複数の情報管理装置からそれぞれ取得された同一ユーザに係る各情報を、当該同一ユーザの共通識別情報と関連付けて統合し、当該統合後の情報集合を記憶部に格納する統合記憶制御手段と
を具備することを特徴とする分散情報統合制御装置。
【請求項２】
検索用の端末から前記同一ユーザの共通識別情報を含む検索要求が前記通信ネットワークを介して送られた場合に、当該検索要求を受信する手段と、
前記受信された検索要求に含まれる共通識別情報をもとに、前記記憶部から該当する統合後の情報集合を読み出し、当該読み出された統合後の情報集合を要求元の端末へ前記通信ネットワークを介して送信する検索制御手段と
を、さらに具備することを特徴とする請求項１記載の分散情報統合制御装置。
【請求項３】
前記同一ユーザに係る情報は、情報本体からなるストレージ情報と、当該ストレージ情報の前記情報管理装置における格納場所を示す情報を含む第１のインデックス情報とからなり、
前記統合記憶制御手段は、前記統合後の情報集合のうちの第１のインデックス情報の集合およびストレージ情報の集合をそれぞれ前記記憶部内のインデックス情報記憶部およびストレージ情報記憶部に格納し、さらに前記ストレージ情報の集合の前記ストレージ情報記憶部における格納場所を示す第２のインデックス情報を生成して前記インデックス情報記憶部に格納することを特徴とする請求項１または２記載の分散情報統合制御装置。
【請求項４】
前記検索制御手段は、前記受信された検索要求に含まれる共通識別情報をもとに、先ず前記インデックス情報記憶部から該当する同一ユーザの第２のインデックス情報を読み出し、次に当該読み出された第２のインデックス情報に含まれるストレージ情報の格納場所を表す情報に基づいて、前記ストレージ情報記憶部から該当するストレージ情報の集合を読み出すことを特徴とする請求項２記載の分散情報統合制御装置。
【請求項５】
同一ユーザに係る情報を異なる識別体系で分散して管理している複数の情報管理装置と、当該複数の情報管理装置が異なる識別体系により管理する前記同一ユーザの個別識別情報と情報管理装置の識別情報との組を当該同一ユーザに対し予め設定した共通識別情報と関連付けて記憶する識別情報管理装置との間で、通信ネットワークを介して通信が可能な分散情報統合制御装置が実行する分散情報統合制御方法であって、
前記分散情報統合制御装置が、前記同一ユーザの共通識別情報を用いて、前記識別情報管理装置から当該同一ユーザに係る複数の個別識別情報と情報管理装置の識別情報との組を取得する過程と、
前記分散情報統合制御装置が、前記取得された複数の個別識別情報と情報管理装置の識別情報との組に基づいて、前記複数の情報管理装置からそれぞれ該当する同一ユーザに係る情報を取得する過程と、
前記分散情報統合制御装置が、前記複数の情報管理装置からそれぞれ取得された同一ユーザに係る各情報を、当該同一ユーザの共通識別情報と関連付けて統合し、当該統合後の情報集合を記憶部に格納する過程と
を具備することを特徴とする分散情報統合制御方法。
【請求項６】
前記分散情報統合制御装置が、検索用の端末から前記同一ユーザの共通識別情報を含む検索要求が前記通信ネットワークを介して送られた場合に、当該検索要求を受信する過程と、
前記分散情報統合制御装置が、前記受信された検索要求に含まれる共通識別情報をもとに、前記記憶部から該当する統合後の情報集合を読み出し、当該読み出された統合後の情報集合を要求元の端末へ前記通信ネットワークを介して送信する過程と
を、さらに具備することを特徴とする請求項５記載の分散情報統合制御方法。
【請求項７】
請求項１乃至４のいずれかに記載の分散情報統合制御装置が具備する各手段が実行する処理を、当該分散情報統合制御装置が備えるコンピュータに実行させるプログラム。
【発明の詳細な説明】
【技術分野】
【０００１】
この発明は、複数の装置が異なるＩＤ体系で分散管理する同一ユーザに係る情報を公開するための分散情報統合制御装置、方法およびプログラムに関する。
【背景技術】
【０００２】
患者の病状に応じて、地域の複数の医療機関がそれぞれの特徴を生かして機能分担を図り、医療機関間で連携することにより、地域全体で患者を中心にした医療サービスを提供する取り組みが進められている。この地域医療の連携を実現するために、地域内のある病院が保存する患者の診療情報を、必要に応じて他病院や診療所の医師が閲覧できるようにする仕組みとして、ＥＨＲ（Electronic Health Record）がある。ＥＨＲを採用したシステムを利用すると、例えばＡ病院及びＢ病院が医療連携に参加している地域において、Ａ病院に所属する医療従事者ＸがＡ病院で管理する患者の診療情報を紹介先となるＢ病院の医療従事者Ｙに公開することで、Ａ病院で管理する患者の診療情報をＢ病院の医療従事者Ｙが共有することが可能となる。
【０００３】
ところで、患者の診療情報の共有を可能にする具体的な手法としては、例えば患者診療情報提供書と呼ばれるフォーマットを使用する手法が提案されている（例えば非特許文献１を参照）。また、患者の診療情報を公開し共有する別の仕組みとして、予め規定したインデックス仕様およびストレージ仕様を用いて、個々の病院が他の病院に患者の診療情報を公開し共有する仕組みも提案されている（例えば非特許文献２を参照）。
【先行技術文献】
【非特許文献】
【０００４】
【非特許文献１】患者診療情報提供書、インターネット＜URL:http://www.hl7.jp/intro/std/HL7J-CDA-001.pdf＞
【非特許文献２】SS-MIX2標準化ストレージ仕様書、インターネット＜URL:http://jami.jp/jamistd/docs/SS-MIX2pdf_for_release20120404.zip＞
【発明の概要】
【発明が解決しようとする課題】
【０００５】
ところが、非特許文献１に記載された手法では患者単位で診療情報を病院間で共有することができ、また非特許文献２に記載された手法では患者の診療情報を病院単位で共有することはできるが、複数の病院に分散する同一患者の診療情報を統合した形態で共有することはできない。このため、同一患者が同一地域内の複数の病院を受診しているような場合に、ある病院の医療従事者が地域内のすべての病院から上記患者の診療情報をもれなく閲覧しようとすると、先ず対象患者が受診した病院がどこであるかを調べ、次に対象患者の診療情報を探すという処理を順次繰り返す必要があり、閲覧に多くの手間と時間がかかる。
【０００６】
この発明は上記事情に着目してなされたもので、その目的とするところは、複数の情報管理装置により異なるＩＤ体系で分散管理されている同一ユーザに係る複数の情報を、簡単かつ短時間にもれなく取得可能にした分散情報統合制御装置、方法およびプログラムを提供することにある。
【課題を解決するための手段】
【０００７】
上記目的を達成するためにこの発明の第１の態様は、同一ユーザに係る情報を異なる識別体系で分散して管理している複数の情報管理装置と、当該複数の情報管理装置が異なる識別体系により管理する上記同一ユーザの個別識別情報と情報管理装置識別情報との組を当該同一ユーザに対し予め設定した共通識別情報と関連付けて記憶する識別情報管理装置との間で、通信ネットワークを介して通信が可能な分散情報統合制御装置にあって、先ず上記同一ユーザの共通識別情報を用いて、上記識別情報管理装置から当該同一ユーザに係る複数の個別識別情報と情報管理装置の識別情報との組を取得し、続いて当該取得された複数の個別識別情報と情報管理装置の識別情報との組に基づいて、上記複数の情報管理装置からそれぞれ該当する同一ユーザに係る情報を取得する。そして、上記複数の情報管理装置からそれぞれ取得された同一ユーザに係る各情報を、当該同一ユーザの共通識別情報と関連付けて統合し、当該統合後の情報集合を記憶部に格納するようにしたものである。
【０００８】
この発明の第２の態様は、第１の態様に記載した分散情報統合制御装置において、さらに、検索用の端末から上記同一ユーザの共通識別情報を含む検索要求が上記通信ネットワークを介して送られた場合に当該検索要求を受信し、当該受信された検索要求に含まれる共通識別情報をもとに、上記記憶部から該当する統合後の情報集合を読み出し、当該読み出された統合後の情報集合を要求元の端末へ上記通信ネットワークを介して送信する処理を実行するようにしたものである。
【０００９】
この発明の第３の態様は、第１または第２の態様に記載した分散情報統合制御装置において、上記ユーザに係る情報が、情報本体からなるストレージ情報と、当該ストレージ情報の上記情報管理装置における格納場所を示す情報を含む第１のインデックス情報とから構成される場合に、上記分散情報の統合記憶制御を行う際に、統合後の情報集合のうちの第１のインデックス情報の集合およびストレージ情報の集合をそれぞれ上記記憶部内のインデックス情報記憶部およびストレージ情報記憶部に格納し、さらに上記ストレージ情報の集合の上記ストレージ情報記憶部における格納場所を示す第２のインデックス情報を生成して上記インデックス情報記憶部に格納するようにしたものである。
【００１０】
この発明の第４の態様は、第２の態様に記載した分散情報統合制御装置において、統合された情報を検索制御する際に、上記受信された検索要求に含まれる共通識別情報をもとに、先ず上記インデックス情報記憶部から該当する同一ユーザの第２のインデックス情報を読み出し、次に当該読み出された第２のインデックス情報に含まれるストレージ情報の格納場所を示す情報に基づいて、上記ストレージ情報記憶部から該当するストレージ情報の集合を読み出すようにしたものである。
【発明の効果】
【００１１】
すなわちこの発明の第１の態様によれば、複数の情報管理装置において異なる識別体系により分散管理されている同一ユーザに係る各情報が、共通識別情報と関連付けられた状態で統合されて情報集合として格納される。このため、上記分散管理されている同一ユーザに係る各情報を例えば閲覧しようとする際に、各情報管理装置に対しその識別体系に応じて個別にアクセスすることなく、分散情報統合制御装置に対する一度のアクセスにより同一ユーザの情報集合を一括して閲覧することが可能となる。
【００１２】
この発明の第２の態様によれば、検索者は所望のユーザの共通識別情報を用いるだけで、各情報管理装置が使用しているユーザの個別識別情報を取得しなくても、所望ユーザに係る情報集合に対し一括してアクセスすることができる。
【００１３】
この発明の第３の態様によれば、ユーザに係る情報がストレージ情報とインデックス情報により構成されている場合でも、当該情報の構造を踏襲して統合後の情報集合を管理することが可能となる。
【００１４】
この発明の第４の態様によれば、ユーザに係る情報がストレージ情報とインデックス情報により構成されている場合でも、当該情報の構造を踏襲して統合後の情報集合に対し一括してアクセスすることが可能となる。
【００１５】
すなわち、この発明によれば、複数の装置が異なるＩＤ体系で分散管理している同一ユーザに係る情報を簡単かつ短時間にもれなく取得可能にした分散情報統合制御装置、方法およびプログラムを提供することができる。
【図面の簡単な説明】
【００１６】
【図１】この発明の一実施形態に係る医療情報流通システムの全体構成を示す図。
【図２】図１に示すシステムのデータマージ制御サーバの機能構成を示すブロック図。
【図３】図１に示した医療情報流通システムによる情報格納時の動作手順を示すシーケンス図。
【図４】図１に示した医療情報流通システムによる情報検索時の動作手順を示すシーケンス図。
【発明を実施するための形態】
【００１７】
以下、図面を参照してこの発明に係わる実施形態を説明する。  
［一実施形態］
図１は、この発明の一実施形態に係る医療情報流通システムの全体構成を示す図である。  
本実施形態のシステムは、ある医療圏に存在する各々病院に設置された、情報管理装置としての複数の病院内サーバＨＳＶ１〜ＨＳＶｎと、利用者端末ＵＴと、識別情報管理装置としての患者ＩＤ管理サーバＭＳＶと、分散情報統合制御装置としてのデータマージ制御サーバＤＳＶを備え、これらのサーバ間をネットワークＮＷを介して接続したものである。ネットワークＮＷは、インターネットに代表されるＩＰ網と、当該ＩＰ網にアクセスするためのアクセス網とから構成され、他の医療圏の病院内サーバ等との間で診療情報の連携を行うための連携用ゲートウェイも含む。
【００１８】
病院内サーバＨＳＶ１〜ＨＳＶｎは、それぞれ患者の診療情報を格納するデータベースを有し、このデータベースに各病院が独自に設定した患者ＩＤ体系に従い診療情報を格納している。データベースは、ストレージ情報記憶部およびインデックス情報記憶部を備える。患者の診療情報は、SS-MIX2の仕様に従い、情報本体からなる診療情報ストレージ情報と、診療情報インデックス情報とから構成され、診療情報ストレージ情報は上記ストレージ情報記憶部に記憶され、また診療情報インデックス情報は上記インデックス情報記憶部に記憶される。診療情報インデックス情報は、診療情報ストレージ情報の作成および更新日時、病院内患者ＩＤ、患者情報に加え、上記診療情報ストレージ情報のストレージ情報記憶部における格納場所等を示す情報を含む。
【００１９】
利用者端末ＵＴは、各病院の医療従事者が使用するもので、例えば携帯電話機やスマートフォン、タブレット型端末等の携帯端末、或いは据え置き型のパーソナルコンピュータにより構成される。利用者端末ＵＴは、データマージ制御サーバＤＳＶにアクセスするために、通信インタフェースとブラウザを備える。
【００２０】
患者ＩＤ管理サーバＭＳＶは、例えば公共機関またはそれに代わる信頼できる機関が運用するもので、患者ＩＤ管理用のデータテーブルを備える。そして、上記病院内サーバＨＳＶ１〜ＨＳＶｎごとに異なる患者ＩＤ体系により定義された各患者の個別識別情報（病院内患者ＩＤ）を、同一の患者ごとに予め設定した共通識別情報（患者ＩＤ）と関連付けて上記データテーブルに記憶している。
【００２１】
データマージ制御サーバＤＳＶは、本システムの中核をなすもので以下のように構成される。図２はその機能構成を示すブロック図である。  
すなわち、データマージ制御サーバＤＳＶは、中央処理ユニット（Central Processing Unit：ＣＰＵ）を有する制御ユニット１と、記憶ユニット２と、通信インタフェースユニット３を備えている。
【００２２】
通信インタフェースユニット３は、上記患者ＩＤ管理サーバＭＳＶとの間で情報の送受信を行う第１の通信部３１と、上記病院内サーバＨＳＶ１〜ＨＳＶｎとの間で情報の送受信を行う第２の通信部３２と、上記利用者端末ＵＴとの間で情報の送受信を行う第３の通信部３３を備えている。これらの通信部３１〜３３は制御ユニット１の制御の下で通信動作を行う。
【００２３】
記憶ユニット２は、記憶媒体としてＨＤＤ（Hard Disk Drive）やＳＳＤ（Solid State Drive）等の書き込みおよび読み出し可能な不揮発性メモリを用いたもので、本実施形態を実施するために必要な記憶部としてインデックス情報記憶部２１およびストレージ情報記憶部２２を備えている。ストレージ情報記憶部２２は、同一患者ごとに統合された診療情報ストレージ情報の集合を記憶するために用いられる。インデックス情報記憶部２１は、上記診療情報ストレージ情報の集合の上記ストレージ情報記憶部２２における格納場所を示す情報（ストレージ格納情報）を含む診療情報インデックス情報を記憶するために用いられる。
【００２４】
制御ユニット１は、本実施形態を実施するために必要な制御機能部として、データマージ実行部１１と、患者ＩＤ情報管理部１２と、患者情報取得部１３を備えている。なお、これらの制御機能部はいずれも図示しないプログラムメモリに格納されたプログラムを上記ＣＰＵに実行させることにより実現される。
【００２５】
患者ＩＤ情報管理部１２は、利用者端末ＵＴから、統合対象の患者の共通識別情報（患者ＩＤ）を含むデータマージ実行依頼を第３の通信部３３を介して受け取った場合に、当該実行依頼に含まれる患者ＩＤを第１の通信部３１から患者ＩＤ管理サーバＭＳＶへ送信する。そして、当該患者ＩＤ管理サーバＭＳＶから、上記患者ＩＤに関連付けて記憶されている、病院ＩＤと患者の個別識別情報（病院内患者ＩＤ）からなる複数のペアを取得する処理を行う。
【００２６】
患者情報取得部１３は、上記患者ＩＤ情報管理部１２により取得された病院ＩＤと病院内患者ＩＤからなる複数のペアに基づいて、それぞれ該当する病院内サーバＨＳＶ１〜ＨＳＶｎに対し第２の通信部３２を用いてアクセスする。そして、病院内サーバＨＳＶ１〜ＨＳＶｎからそれぞれ各患者の診療情報インデックス情報と診療情報ストレージ情報からなるペアを取得する処理を行う。
【００２７】
データマージ実行部１１は、以下の処理機能を備えている。  
(1) 病院内サーバＨＳＶ１〜ＨＳＶｎからそれぞれ取得された診療情報インデックス情報と診療情報ストレージ情報からなるペアを患者ごとに統合し、この統合された診療情報ストレージ情報の集合を上記ストレージ情報記憶部２２に格納する。また、上記統合された診療情報インデックス情報の集合をインデックス情報記憶部２１に記憶させると共に、上記診療情報ストレージ情報の集合の上記ストレージ情報記憶部２２における格納場所を示すストレージ格納情報を上記インデックス情報記憶部２１に記憶させる処理。
【００２８】
(2) 利用者端末ＵＴからデータ検索実行依頼を受信した場合に、当該実行依頼に含まれる患者ＩＤをもとに、インデックス情報記憶部２１およびストレージ情報記憶部２２からそれぞれ診療情報インデックス情報および診療情報ストレージ情報を検索し、この検索された診療情報インデックス情報および診療情報ストレージ情報を利用者端末ＵＴへ送信する処理。
【００２９】
（動作）
次に、以上のように構成されたシステムの動作をデータマージ制御サーバＤＳＶの動作を中心に説明する。  
（１）データを統合して格納する時の動作
いま、ある患者が同一の医療圏内に存在する複数の病院を受診し、その結果複数の病院内サーバＨＳＶ１〜ＨＳＶｎに上記同一患者の診療情報が分散されて記憶されたものとする。上記患者の診療情報が新たな病院内サーバに格納されると、当該病院内サーバから上記患者の病院内患者ＩＤと病院ＩＤからなるペアが患者ＩＤ管理サーバＭＳＶへ送信され、当該患者の患者ＩＤと関連付けられて格納される。
【００３０】
この状態で、ある病院の医師が、上記患者に係る分散された複数の診療情報を統合させるべく、自身の利用者端末ＵＴにおいてデータマージ実行依頼を送信したとする。そうすると、データマージ制御サーバＤＳＶでは以下のような動作が実行される。図３はその動作手順を示すシーケンス図である。
【００３１】
なお、上記データマージ実行依頼には、上記統合対象の患者の患者ＩＤが挿入される。この患者ＩＤは当該患者に対し割り当てられた共通識別情報であり、患者ＩＤ管理サーバＭＳＶから事前に取得できる。
【００３２】
データマージ制御サーバＤＳＶでは、上記データマージ実行要求を第３の通信部３３により受信すると、患者ＩＤ情報管理部１２の制御の下、上記実行依頼に含まれる患者ＩＤが第１の通信部３１から患者ＩＤ管理サーバＭＳＶへ送信される。これに対し患者ＩＤ管理サーバＭＳＶでは、上記患者ＩＤを受信すると、当該患者ＩＤに関連付けて記憶されている病院ＩＤと病院内患者ＩＤからなる複数のＩＤペアが読み出され、要求元のデータマージ制御サーバＤＳＶへ送信される。
【００３３】
データマージ制御サーバＤＳＶでは、上記病院ＩＤと病院内患者ＩＤからなる複数のＩＤペアが第１の通信部３１により受信されると、当該ＩＤペアが患者情報取得部１３に渡される。患者情報取得部１３では、上記複数のＩＤペアが１つ選択され、この選択されたＩＤペアが第２の通信部３２から該当する病院内サーバＨＳＶｉへ向け送信される。
【００３４】
これに対し病院内サーバＨＳＶｉでは、上記ＩＤペアを受信すると、当該ＩＤペアに含まれる病院内患者ＩＤをもとに該当する患者の診療情報インデックス情報と診療情報ストレージ情報の情報ペアが読み出され、当該読み出された診療情報インデックス情報と診療情報ストレージ情報の情報ペアがデータマージ制御サーバＤＳＶへ返送される。
【００３５】
上記診療情報インデックス情報と診療情報ストレージ情報の情報ペアが第２の通信部３２により受信されると、データマージ制御サーバＤＳＶではデータマージ実行部１１の制御の下、上記受信された情報ペアのうち先ず診療情報インデックス情報が患者ＩＤと紐付けされてインデックス情報記憶部２１に格納される。次に、診療情報ストレージ情報が患者ＩＤと紐付けられてストレージ情報記憶部２２に格納される。さらに、上記診療情報ストレージ情報のストレージ情報記憶部２２における格納場所を示す情報（ストレージ格納情報）が、上記患者ＩＤと紐付けられて印加デックス情報記憶部２１に格納される。
【００３６】
上記病院内サーバＨＳＶｉからの診療情報の取得およびその格納処理が終了すると、データマージ制御サーバＤＳＶでは、患者情報取得部１３により上記複数のＩＤペアのうち未選択のペアが１つ選択される。そして、この選択されたＩＤペアが第２の通信部３２から該当する病院内サーバＨＳＶｊへ向け送信される。これに対し病院内サーバＨＳＶｊから、病院内患者ＩＤに対応する診療情報インデックス情報と診療情報ストレージ情報の情報ペアが返送されると、当該返送された診療情報インデックス情報および診療情報ストレージ情報がそれぞれインデックス情報記憶部２１およびストレージ情報記憶部２２に格納される。またそれと共に、上記診療情報ストレージ情報のストレージ情報記憶部２２における格納場所を示すストレージ格納情報が、上記患者ＩＤと紐付けられて印加デックス情報記憶部２１に格納される。
【００３７】
以下同様に、上記複数のＩＤペアの各々について、上記病院内サーバＨＳＶｉからの診療情報の取得とその格納処理が繰り返し行われる。そして、すべてのＩＤペアについての処理が終了すると、データマージ実行部１１の制御の下、第３の通信部３３から利用者端末ＵＴへ完了通知が送信される。
【００３８】
かくして、データマージ制御サーバＤＳＶのインデックス情報記憶部２１およびストレージ情報記憶部２２には、医療圏内の複数の病院内サーバＨＳＶ１〜ＨＳＶｎに分散して格納されている同一患者の診療情報インデックス情報および診療情報ストレージ情報が、共通の患者ＩＤと関連付けられた状態で統合されて格納される。
【００３９】
（２）統合されたデータを検索する時の動作
いま、ある病院の医師が、自身の利用者端末ＵＴにおいてブラウザを起動し、所望の患者の統合された診療情報を閲覧するための操作を行ったとする。そうすると、データマージ制御サーバＤＳＶでは以下のような検索動作が実行される。図４はその動作手順を示すシーケンス図である。
【００４０】
すなわち、上記閲覧操作が行われると、利用者端末ＵＴからはデータ検索実行依頼が送信される。このデータ検索実行依頼には、患者ＩＤと検索条件が挿入される。検索条件としては、例えば検索対象期間や診療科の種類等が設定される。
【００４１】
データマージ制御サーバＤＳＶでは、上記データ検索実行依頼が第３の通信部３３により受信されると、データマージ実行部１１の制御の下、先ずインデックス情報記憶部２１から、上記データ検索実行依頼に含まれる患者ＩＤに紐付けされている複数の診療情報インデックス情報が病院ＩＤと病院内患者ＩＤのペアと共に読み出される。また、それと共にストレージ格納情報が読み出される。
【００４２】
次に、ストレージ情報記憶部２２内の、上記読み出されたストレージ格納情報により示される格納場所から診療情報ストレージ情報が読み出される。そして、以上のように読み出された病院ＩＤと病院内患者ＩＤの複数のペアと、複数の診療情報インデックス情報と、複数の診療情報ストレージ情報は、第３の通信部３３から依頼元の利用者端末ＵＴへ送信される。
【００４３】
かくして、利用者端末ＵＴでは、医療圏内の複数の病院内サーバＨＳＶ１〜ＨＳＶｎが分散管理している同一ユーザの診療情報が、１回のデータ検索実行依頼により統合された状態でもれなく取得し表示できる。
【００４４】
（一実施形態の効果）
以上詳述したように一実施形態では、利用者端末ＵＴからのデータマージ実行依頼に応じて、先ず当該実行依頼に含まれる患者ＩＤに関連付けられている病院ＩＤと病院内患者ＩＤからなる複数のＩＤペアを患者ＩＤ管理サーバＭＳＶから取得し、この取得した複数のＩＤペアに基づいて、それぞれ該当する病院内サーバＨＳＶ１〜ＨＳＶｎからそれぞれ患者の診療情報インデックス情報と診療情報ストレージ情報からなるペアを取得する。そして、この取得された診療情報インデックス情報と診療情報ストレージ情報からなる情報ペアを患者ＩＤごとに統合して、インデックス情報記憶部２１およびストレージ情報記憶部２２に格納するようにしている。
【００４５】
また、利用者端末ＵＴからデータ検索実行依頼を受信した場合に、当該実行依頼に含まれる患者ＩＤをもとに、インデックス情報記憶部２１およびストレージ情報記憶部２２からそれぞれ診療情報インデックス情報および診療情報ストレージ情報を検索し、この検索された診療情報インデックス情報および診療情報ストレージ情報を利用者端末ＵＴへ送信するようにしている。
【００４６】
したがって、複数の病院内サーバＨＳＶ１〜ＨＳＶｎにおいて異なる識別体系により分散管理されている同一ユーザに係る複数の診療情報が、各病院に対し共通の患者ＩＤと関連付けられた状態で統合されて情報集合として格納される。このため、上記分散管理されている同一ユーザに係る各診療情報を閲覧しようとする際に、各病院内サーバＨＳＶ１〜ＨＳＶｎに対しその患者ＩＤ体系に応じて個別にアクセスすることなく、データマージ制御サーバＤＳＶに対する一度のアクセスにより同一ユーザの情報集合を一括して閲覧することが可能となる。
【００４７】
［他の実施形態］
前記一実施形態では、利用者端末ＵＴからのデータマージ実行依頼に応じて、当該実行依頼で指定された患者に係る分散情報を統合するようにしたが、データマージ実行部１１が自律的に一定の周期或いは任意のタイミングでデータの統合処理を行うようにしてもよい。
【００４８】
また、病院内サーバＨＳＶ１〜ＨＳＶｎにおいて患者の診療情報が新たに記憶されるごとに、その旨の通知をデータマージ制御サーバＤＳＶに通知し、この通知を受けてデータマージ制御サーバＤＳＶが当該患者の診療情報の統合処理を実行するようにしてもよい。
【００４９】
前記一実施形態では、患者の診療情報を統合管理する場合を例にとって説明した。しかしそれに限るものではなく、圏内の複数の図書館や資料館、博物館、美術館等で管理されている書籍や資料、展示物、美術品等に係る情報を、同一の作家、編集者または作者ごとに統合して格納するようにしてもよい。
【００５０】
前記一実施形態では、データマージ制御サーバＤＳＶ内に記憶ユニット２を設けた場合を例にとって説明したが、データマージ制御サーバＤＳＶとは独立するデータベースサーバを設け、データマージ制御サーバＤＳＶが統合された情報をネットワークＮＷを介して上記データベースサーバに送信して格納するようにしてもよい。
【００５１】
その他、分散情報統合制御装置の構成やその動作手順と動作内容、情報の種類とそのデータ構造などについても、この発明の要旨を逸脱しない範囲で種々変形して実施可能である。
【００５２】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００５３】
ＤＳＶ…データマージ制御サーバ、ＭＳＶ…患者ＩＤ管理サーバ、ＨＳＶ１〜ＨＳＶｎ…病院内サーバ、ＵＴ…利用者端末、ＮＷ…ネットワーク、１…制御ユニット、２…記憶ユニット、３…通信インタフェースユニット、１１…データマージ実行部、１２…患者ＩＤ情報管理部、１３…患者情報取得部、２１…インデックス情報記憶部、２２…ストレージ情報記憶部、３１…第１の通信部、３２…第２の通信部、３３…第３の通信部。
【図１】
2016157189.tif 000003
【図２】
2016157189.tif 000004
【図３】
2016157189.tif 000005
【図４】
2016157189.tif 000006